(57)【要約】【課題】アームを交換し易く、手を挟みにくく、使用寿命が長い風呂椅子の取り外し可能なアーム構造を提供する。【解決手段】風呂椅子の取り外し可能なアーム構造は、背もたれ管３０１に固定部材３０３が設けられ、固定部材３０３にアームスチールフレーム３０４が接続されており、アームスチールフレーム３０４と固定部材３０３との接続箇所にプラスチック保護カバー３０５が嵌め合わされ、アームスチールフレーム３０４は円弧構造として設けられ、アームスチールフレーム３０４の末端の接続箇所に円弧遷移部３０７が設けられ、アームスチールフレーム３０４上にアームカバー３０８が嵌め合わされ、アームカバー３０８はネジ３１２によりアームスチールフレーム３０４と固定接続する。【選択図】図１
2017192730.tif 000002
【特許請求の範囲】
【請求項１】
足部、シート部および背もたれ部を備え、
前記足部は、前足管と、後足管とが交差接続して構成され、
前記背もたれ部は、背もたれ管と、背もたれクッションとにより構成され、
前記背もたれ管と前足管とが接続し、
前記背もたれ管に固定部材が設けられ、
前記固定部材にアームスチールフレームが接続されており、
前記アームスチールフレームと固定部材との接続箇所にプラスチック保護カバーが嵌め合わされ、
前記アームスチールフレームは六角締め付けナットによりプラスチック保護カバーおよび固定部材と接続し、
前記アームスチールフレームは円弧構造として設けられ、
前記アームスチールフレームの末端の接続箇所に円弧遷移部が設けられ、
前記アームスチールフレーム上にアームカバーが嵌め合わされ、
前記アームカバーとアームスチールフレームとは互いにフィットし、
前記アームスチールフレームに丸穴が設けられ、
前記アームカバーの末端の接続箇所にアームカバープラスチック部材が取り付けられ、
前記アームカバープラスチック部材に貫通孔が設けられ、
前記丸穴と貫通孔とが連通し、
前記アームカバーは、ネジが丸穴および貫通孔を貫通することによりアームスチールフレームと固定接続し、
前記アームカバーおよびアームスチールフレームは、固定部材周りに上下動的接続状態となる
風呂椅子の取り外し可能なアーム構造。
【請求項２】
前記円弧遷移部の角度範囲は３０〜８０度である
請求項１に記載の風呂椅子の取り外し可能なアーム構造。
【請求項３】
前記アームスチールフレームの接続箇所の下端に位置決めピンが設けられている
請求項１又は２に記載の風呂椅子の取り外し可能なアーム構造。
【請求項４】
前記アームスチールフレームは一次プレス曲げ成型構造である
請求項１〜３のいずれか１項に記載の風呂椅子の取り外し可能なアーム構造。
【発明の詳細な説明】
【技術分野】
【０００１】
本発明は、椅子に関し、特に、改良型取り外し可能なアーム構造の風呂椅子に関する。
【背景技術】
【０００２】
現在、風呂椅子は、通常、人の入浴またはシャワー時に補助機能を有し、多くは老人用または子供用として使用される。従来の風呂椅子は、椅子アームのメンテナンスおよび洗浄が不便であり、その構造が複雑である。アームはアームスチールフレームとともに取り外されなければならず、その取り外しはプロによる作業が必要である。アームカバーとアームスチールフレームを取り外し、洗浄またはメンテナンス完了後、ネジで取り付けた後ナットで固定できないと、回転防止機能を有しない。ネジを締め付けたり緩めたりすることができないと、ユーザはアームの取り外しができなかったり、交換、洗浄および取り付けしにくかったりし、アームスチールフレームの破損が生じ易く、使用寿命に影響を及ぼす。また、従来のアームは片付け過程において指を挟み易く、ケガをし易い。アームスチールフレームには半田付けが用いられ、コストおよび製造工程の増加をもたらす。
【０００３】
特許文献１は、前脚に対して後脚を開閉できるように軸支し、不使用時にコンパクトに折り畳むことのできる折り畳み椅子を開示している。
【先行技術文献】
【特許文献】
【０００４】
【特許文献１】特開２０１１−５０６４１号公報
【発明の概要】
【発明が解決しようとする課題】
【０００５】
本発明は、アームを交換し易く、手を挟みにくく、使用寿命が長い風呂椅子の取り外し可能なアーム構造を提供することを目的とする。
【０００６】
上記目的を達成するため、本発明の一態様に係る、風呂椅子の取り外し可能なアーム構造は、足部、シート部および背もたれ部を備え、前記足部は前足管と後足管とが交差接続して構成され、前記背もたれ部は背もたれ管と背もたれクッションとにより構成され、前記背もたれ管と前足管とが接続し、前記背もたれ管に固定部材が設けられ、前記固定部材にアームスチールフレームが接続されており、前記アームスチールフレームと固定部材との接続箇所にプラスチック保護カバーが嵌め合わされ、前記アームスチールフレームは六角締め付けナットによりプラスチック保護カバーおよび固定部材と接続し、前記アームスチールフレームは円弧構造として設けられ、前記アームスチールフレームの末端の接続箇所に円弧遷移部が設けられ、前記アームスチールフレーム上にアームカバーが嵌め合わされ、前記アームカバーとアームスチールフレームとは互いにフィットし、前記アームスチールフレームに丸穴が設けられ、前記アームカバーの末端の接続箇所にアームカバープラスチック部材が取り付けられ、前記アームカバープラスチック部材に貫通孔が設けられ、前記丸穴と貫通孔とが連通し、前記アームカバーはネジが丸穴および貫通孔を貫通することによりアームスチールフレームと固定接続し、前記アームカバーおよびアームスチールフレームは固定部材周りに上下動的接続状態となる。
【発明の効果】
【０００７】
本発明の風呂椅子の取り外し可能なアーム構造は、アームを交換し易く、手を挟みにくく、使用寿命が長い。
【図面の簡単な説明】
【０００８】
【図１】実施の形態の風呂椅子の取り外し可能なアーム構造の分解図である。
【図２】実施の形態の風呂椅子の取り外し可能なアーム構造の構成を示す図である。
【図３】実施の形態の風呂椅子の取り外し可能なアーム構造におけるアームスチールフレームとアームカバーとを分解した状態を示す図である。
【図４】実施の形態の風呂椅子の取り外し可能なアーム構造の断面図である。
【図５】実施の形態の風呂椅子の取り外し可能なアーム構造におけるアームスチールフレームの構造を示す図である。
【図６】実施の形態の風呂椅子の取り外し可能なアーム構造におけるアームカバーの構造を示す図である。
【図７】実施の形態の風呂椅子の取り外し可能なアーム構造におけるプラスチック保護カバーの構造を示す図である。
【図８】実施の形態の風呂椅子の取り外し可能なアーム構造におけるアームカバープラスチック部材の構造を示す図である。
【発明を実施するための形態】
【０００９】
以下、本実施の形態に係る風呂椅子の取り外し可能なアーム構造について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置や接続形態などは、一例であって本発明を限定する主旨ではない。よって、以下の実施の形態における構成要素のうち、本発明の最上位概念を示す独立請求項に記載されていない構成要素については、任意の構成要素として説明される。なお、各図は、模式図であり、必ずしも厳密に図示されたものではない。
【００１０】
（実施の形態）
図１および図２に示すように、風呂椅子の取り外し可能なアーム構造は、足部１、シート部２および背もたれ部３を備え、足部１は前足管１０１と後足管１０２とが交差接続して構成され、背もたれ部３は背もたれ管３０１と背もたれクッション３０２とにより構成され、背もたれ管３０１と前足管１０１とが接続し、背もたれ管３０１に固定部材３０３が設けられる。
【００１１】
図５に示すように、固定部材３０３にアームスチールフレーム３０４が接続されている。
【００１２】
図７に示すように、アームスチールフレーム３０４と固定部材３０３との接続箇所にプラスチック保護カバー３０５が嵌め合わされ、アームスチールフレーム３０４は六角締め付けナット３０６によりプラスチック保護カバー３０５および固定部材３０３と接続し、アームスチールフレーム３０４は円弧構造として設けられ、アームスチールフレーム３０４の末端の接続箇所に円弧遷移部３０７が設けられる。
【００１３】
図６に示すように、アームスチールフレーム３０４上にアームカバー３０８が嵌め合わされ、アームカバー３０８とアームスチールフレーム３０４とは互いにフィットし、アームスチールフレーム３０４に丸穴３０９が設けられる。
【００１４】
図８に示すように、アームカバー３０８の末端の接続箇所にアームカバープラスチック部材３１０が取り付けられ、アームカバープラスチック部材３１０に貫通孔３１１が設けられ、丸穴３０９と貫通孔３１１とが連通し、アームカバー３０８はネジ３１２が丸穴３０９および貫通孔３１１を貫通することによりアームスチールフレーム３０４と固定接続し、アームカバー３０８、アームスチールフレーム３０４は固定部材３０３周りに上下動的接続状態となる。円弧遷移部３０７の角度範囲は３０〜８０度であり、アームスチールフレーム３０４の接続箇所の下端に位置決めピン３１３が設けられ、アームスチールフレーム３０４は一次プレス曲げ成型構造である。
【００１５】
固定部材３０３を背もたれ管３０１に固定して取り付ける。固定部材３０３は延伸部である。さらに、プラスチック保護カバー３０５を対応して固定部材３０３に取り付ける。アームスチールフレーム３０４を対応してプラスチック保護カバー３０５に取り付ける。プラスチック保護カバー３０５およびアームスチールフレーム３０４と固定部材３０３の位置を対応させ、六角締め付けナット３０６で締め付け固定する。その推力および位置は締め付けトルクの大きさにより制御される。当該六角締め付けナット３０６は回転を防止できる。アームスチールフレーム３０４を取り付け完了後、アームカバー３０８をアームスチールフレーム３０４内に嵌め合わせる。両端にアームカバープラスチック部材３１０を取り付ける。アームスチールフレーム３０４とアームカバープラスチック部材３１０に丸穴３０９と貫通孔３１１を設ける。２つのネジ３１２でアームカバー３０８とアームスチールフレーム３０４を締め付ける。２つのアームカバー３０８はアームスチールフレーム３０４上に強く押さえられる。アームカバー３０８はネジ３１２を緩めることにより取り外して洗浄または交換可能である。アームスチールフレーム３０４の接続箇所の下端に位置決めピン３１３を設ける。プラスチック保護カバー３０５の下端にバッフルプレートを設ける。位置決めピン３１３はプラスチック保護カバー３０５の下端を貫通し、ストッパとして作用する。
【００１６】
取り付け完了後、アームは自在に上下に動く。固定部材３０３は背もたれ管３０１に一定のピッチで延伸し、アームスチールフレーム３０４と固定部材３０３の接続端は円弧遷移部３０７である。当該区間距離によりアームを引っ込めるとき手を挟みにくく、また人が座る体積空間がさらに広くなる。
【００１７】
本実施の形態の風呂椅子の取り外し可能なアーム構造は、以下のような有益な効果が得られる。
【００１８】
背もたれ管３０１に固定部材３０３が設けられ、固定部材３０３にアームスチールフレーム３０４が接続されており、アームスチールフレーム３０４と固定部材３０３との接続箇所にプラスチック保護カバー３０５が嵌め合わされ、アームスチールフレーム３０４は六角締め付けナット３０６によりプラスチック保護カバー３０５および固定部材３０３と接続し、アームスチールフレーム３０４は円弧構造として設けられ、アームスチールフレーム３０４の末端の接続箇所に円弧遷移部３０７が設けられ、アームスチールフレーム３０４上にアームカバー３０８が嵌め合わされ、アームカバー３０８とアームスチールフレーム３０４とは互いにフィットする。アームスチールフレーム３０４およびアームカバー３０８はいずれも円弧構造として設けられ、アーム全体が塑性生産し易い。アームスチールフレーム３０４は一次プレス曲げ成型構造であり、プレス成型しカットした後、設計形状に基づいて一次曲げ成型を行い、生産および製造コスト、時間を低減し、支持強度を高める。アームスチールフレーム３０４とアームカバー３０８とが互いにフィットする。アームカバー３０８をアームスチールフレーム３０４内に取り付けし易い。また、アームスチールフレーム３０４は六角締め付けナット３０６によりプラスチック保護カバー３０５および固定部材３０３と接続する。六角締め付けナット３０６を用いて固定し、アームの回転を防止しアームを締め付けることができる。固定部材３０３にプラスチック保護カバー３０５が設けられ、プラスチック保護カバー３０５と固定部材３０３、アームスチールフレーム３０４とが重なって取り付けられ、プラスチック保護カバー３０５は、アームスチールフレーム３０４と固定部材３０３とを保護するだけでなく、内部部品構造を隠すことができ、外形の美観がより良くなるように設計される。アームスチールフレーム３０４の末端の接続箇所に円弧遷移部３０７が設けられ、円弧遷移部３０７の角度範囲は３０〜８０度である。固定部材３０３は背もたれ管３０１に一定のピッチで延伸し、アームスチールフレーム３０４と固定部材３０３の接続端は円弧遷移部３０７である。当該区間距離によりアームを引っ込めるとき手を挟みにくく、また人が座る体積空間がさらに広くなる。
【００１９】
アームスチールフレーム３０４に丸穴３０９が設けられ、アームカバー３０８の末端の接続箇所にアームカバープラスチック部材３１０が取り付けられ、アームカバープラスチック部材３１０に貫通孔３１１が設けられ、丸穴３０９と貫通孔３１１とが連通し、アームカバー３０８はネジ３１２が丸穴３０９および貫通孔３１１を貫通することによりアームスチールフレーム３０４と固定接続する。アームスチールフレーム３０４取り付け完了後、六角締め付けナット３０６のトルクの大きさを調整してアームの推力および位置を制御する。アームのスラストを調整すると、さらにネジグルーを加えて固定する。アームスチールフレーム３０４は使用過程において固定部材３０３により背もたれ管３０１に固定接続され続ける。アームカバー３０８を交換、メンテナンスまたは洗浄する必要があるとき、アームカバー３０８とアームスチールフレーム３０４に固定されたネジ３１２を取り外すだけでよい。アームカバー３０８は取り外して洗浄または交換し易い。また、アームスチールフレーム３０４およびアームカバー３０８は円弧構造に設計される。メンテナンスまたは洗浄完了後、左右の方向を区別する必要がなく、左右のアームカバー３０８を任意に取り付けることができ、広く適用できる。
【００２０】
アームスチールフレーム３０４の接続箇所の下端に位置決めピン３１３が設けられている。アームスチールフレーム３０４と固定部材３０３との接続箇所にプラスチック保護カバー３０５が嵌め合わされている。プラスチック保護カバー３０５の下端にバッフルプレートが設けられる。位置決めピン３１３はプラスチック保護カバー３０５の下端を貫通し、ストッパとして作用する。
【００２１】
以上のように、本実施の形態における風呂椅子の取り外し可能なアーム構造は、足部１、シート部２および背もたれ部３を備え、足部１は、前足管１０１と、後足管１０２とが交差接続して構成され、背もたれ部３は、背もたれ管３０１と、背もたれクッション３０２とにより構成され、背もたれ管３０１と前足管１０１とが接続し、背もたれ管３０１に固定部材３０３が設けられ、固定部材３０３にアームスチールフレーム３０４が接続されており、アームスチールフレーム３０４と固定部材３０３との接続箇所にプラスチック保護カバー３０５が嵌め合わされ、アームスチールフレーム３０４は六角締め付けナット３０６によりプラスチック保護カバー３０５および固定部材３０３と接続し、アームスチールフレーム３０４は円弧構造として設けられ、アームスチールフレーム３０４の末端の接続箇所に円弧遷移部３０７が設けられ、アームスチールフレーム３０４上にアームカバー３０８が嵌め合わされ、アームカバー３０８とアームスチールフレーム３０４とは互いにフィットし、アームスチールフレーム３０４に丸穴３０９が設けられ、アームカバー３０８の末端の接続箇所にアームカバープラスチック部材３１０が取り付けられ、アームカバープラスチック部材３１０に貫通孔３１１が設けられ、丸穴３０９と貫通孔３１１とが連通し、アームカバー３０８は、ネジ３１２が丸穴３０９および貫通孔３１１を貫通することによりアームスチールフレーム３０４と固定接続し、アームカバー３０８およびアームスチールフレーム３０４は、固定部材３０３周りに上下動的接続状態となる。
【００２２】
例えば、円弧遷移部３０７の角度範囲は３０〜８０度であってもよい。
【００２３】
例えば、アームスチールフレーム３０４の接続箇所の下端に位置決めピン３１３が設けられていてもよい。
【００２４】
例えば、アームスチールフレーム３０４は一次プレス曲げ成型構造であってもよい。
【００２５】
以上、本発明に係る風呂椅子の取り外し可能なアーム構造について、上記実施の形態に基づいて説明したが、本発明は、上記の実施の形態に限定されるものではない。
【００２６】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００２７】
１    足部
２    シート部
３    背もたれ部
１０１    前足管
１０２    後足管
３０１    背もたれ管
３０２    背もたれクッション
３０３    固定部材
３０４    アームスチールフレーム
３０５    プラスチック保護カバー
３０６    六角締め付けナット
３０７    円弧遷移部
３０８    アームカバー
３０９    丸穴
３１０    アームカバープラスチック部材
３１１    貫通孔
３１２    ネジ
３１３    位置決めピン
【図１】
2017192730.tif 000003
【図２】
2017192730.tif 000004
【図３】
2017192730.tif 000005
【図４】
2017192730.tif 000006
【図５】
2017192730.tif 000007
【図６】
2017192730.tif 000008
【図７】
2017192730.tif 000009
【図８】
2017192730.tif 000010